(57)【要約】      （修正有）【課題】眉毛・睫毛への化粧料の塗布が容易に行える化粧用塗布具を提供する。【解決手段】化粧用塗布部２０は、基端部を操作部とする筆軸２２と、筆軸２２の先端に挿着されるブラシ柄２４と、ブラシ柄２４の先端に形成された塗布部２５と、を備え、塗布部２５とブラシ柄２４は同一樹脂により一体成形し、塗布部２５は、その植毛台座２５１から、同心円状に多数の樹脂製ブラシ毛２５３を一方向に延出形成し、ブラシ柄２４は、樹脂毛２５３の延出方向と反対方向に湾曲して形成する。微細な樹脂毛２５３を備えた小さな塗布部２５と湾曲したブラシ柄２４により、眉毛・睫毛への化粧料の塗布が容易に行える。【選択図】図４
0003190428.tif 000002
【実用新案登録請求の範囲】
【請求項１】
基端部を操作部とする筆軸と、該筆軸先端に挿着されるブラシ柄と、ブラシ柄の先端に形成された塗布部と、を備え、
前記塗布部と前記ブラシ柄は、同一樹脂により一体成形され、
前記塗布部には、その植毛台座から、同心円状に多数の樹脂製ブラシ毛が一方向に延出形成され、
前記ブラシ柄は、前記樹脂毛の延出方向と反対方向に湾曲して形成された
ことを特徴とする化粧用塗布具。
【考案の詳細な説明】
【技術分野】
【０００１】
本考案は、眉毛や睫毛に化粧料を塗布するためのマスカラ，アイブロー用の化粧用塗布具である。
【背景技術】
【０００２】
この種の化粧用塗布具は、一対の芯線材に多数のブリストルをはさみ、捻ることで、芯線材の捻り合わせ部から放射状に延出するブリストルを軸方向螺旋状に分布させ、ブラシ部全体が軸方向に略円柱状となるように形成される（特許文献１）。使用者は、このブリストルからなるブラシ部の側面を使って、マスカラ等の化粧料の塗布を行う。
【先行技術文献】
【特許文献】
【０００３】
【特許文献１】特開２００４-１７４２６７号公報（図１等）
【考案の概要】
【考案が解決しようとする課題】
【０００４】
しかし、特許文献１のようなマスカラ，アイブロー用の塗布具では、軸方向のブリストルの螺旋列と螺旋列の間に多量の化粧料を含み、また、筆軸の周方向全域にブリストルが延出するため、化粧料の掻き落とし作業や化粧料の保持量の調節が難しく、眉毛・睫毛への塗布動作も難しいという問題があった。
【０００５】
本考案は、前記従来技術の課題に鑑みて為されたものであり、その目的は、眉毛・睫毛への化粧料の塗布が容易に行える化粧用塗布具を提供することにある。
【課題を解決するための手段】
【０００６】
前記目的を達成するために、本考案に係る化粧用塗布具では、基端部を操作部とする筆軸と、該筆軸先端に挿着されるブラシ柄と、ブラシ柄の先端に形成された塗布部と、を備え、前記塗布部と前記ブラシ柄は、同一樹脂により一体成形され、前記塗布部には、その植毛台座から、同心円状に多数の樹脂製ブラシ毛が一方向に延出形成され、前記ブラシ柄は、前記樹脂毛の延出方向と反対方向に湾曲して形成されたことを特徴とする。
【考案の効果】
【０００７】
本考案の塗布具によれば、その塗布部は、その植毛台座から、微細な樹脂毛が一体成形によって一方向に延出形成されたブラシであるので、ブリストルを螺旋状に延出させた塗布具よりも、樹脂毛間の化粧料を掻き落としやすく、化粧料の保持量が調節しやすい。
【０００８】
また、本考案の塗布具は植毛域が非常に小さく、ブラシ柄は、樹脂毛の延出方向と反対方向に湾曲して形成されているので、細部への塗布が容易であるとともに、ブリストルからなる塗布具のように、使用していない域のブリストルが接触して眉毛・睫毛周辺の皮膚に誤って化粧料を塗布してしまうことがないので、塗布動作も容易となる。また、この微細な樹脂毛は、ブラシ柄と一体に成形するので、ブリストルからなる塗布具よりも製造工程が容易となる。
【図面の簡単な説明】
【０００９】
【図１】本考案に係る化粧用塗布具を化粧料容器に挿着した状態の縦断面図
【図２】本考案に係る化粧用塗布具の正面図
【図３】同塗布具の背面図
【図４】同塗布具の左側面図
【図５】同塗布具の平面図
【図６】同塗布具の要部の拡大斜視図
【図７】同塗布具の塗布部の別の例を示す図
【図８】同塗布具の塗布部の別の例を示す図
【図９】同塗布具の塗布部の別の例を示す図
【図１０】同塗布具の塗布部の別の例を示す図
【図１１】同塗布具の塗布部の別の例を示す図
【図１２】同塗布具の塗布部の別の例を示す図
【図１３】同塗布具の塗布部の別の例を示す図
【図１４】同塗布具の塗布部の別の例を示す図
【図１５】同塗布具の塗布部の別の例を示す図
【図１６】同塗布具の塗布部の別の例を示す図
【図１７】同塗布具の塗布部の別の例を示す図
【図１８】同塗布具の塗布部の別の例を示す図
【図１９】同塗布具の塗布部の別の例を示す図
【図２０】同塗布具の塗布部の別の例を示す図
【図２１】同塗布具の塗布部の別の例を示す図
【図２２】同塗布具の塗布部の別の例を示す図
【図２３】同塗布具の塗布部の別の例を示す図
【図２４】同塗布具の塗布部の別の例を示す図
【図２５】同塗布具の塗布部の別の例を示す図
【図２６】同塗布具の塗布部の別の例を示す図
【図２７】同塗布具の別の例を示す背面図
【図２８】同塗布具の別の例を示す左側面図
【図２９】同塗布具の別の例を示す平面図
【考案を実施するための形態】
【００１０】
本考案に係る化粧用塗布具を図面に基づいて説明する。図１は本考案に係る化粧用塗布具を化粧料容器に挿着した状態の縦断面図、図２は本考案に係る化粧用塗布具の正面図、図３は同塗布具の背面図、図４は同塗布具の左側面図、図５は同塗布具の平面図、図６は同塗布具の要部の拡大斜視図である。
【００１１】
符号２０は、本考案に係る化粧用塗布具である。符号１０は、塗布具２０を挿着する化粧料容器であって、中にはマスカラ、アイブロー等の液体の化粧料１２が収容されている。なお、化粧料１２は粉体であってもよい。
【００１２】
化粧料容器１０の口部１４の内周には、掻き部１６ａを備えるゴム等の可縮性部材で構成されたワイパー１６が嵌着されている。
【００１３】
塗布具２０は、基端部を操作部２１とする円柱状の筆軸２２と、筆軸２２の先端に挿着されるブラシ柄２４と、ブラシ柄２４の先端に形成された塗布部２５と、から構成されている。操作部２１には、化粧料容器１０の口部１４と螺合する円筒状のキャップ２３が固着されており、操作部２１は化粧料容器１０の蓋を兼ねている。
【００１４】
塗布部２５は、正面視縦長楕円（図面Ｚ方向に長い楕円）の円板形の台座２５１の植毛面２５２に、同心円状に、多数の樹脂製ブラシ毛（以下、樹脂毛とする）２５３が、一方向に（図面Ｙ方向に）延出形成されている。
【００１５】
ブラシ柄２４は、樹脂毛２５３の延出方向と反対方向に湾曲して形成されており、ブラシ柄２４の先端は、塗布部２５の台座２５１の背面に接続されている。ブラシ柄２４の基端部には、筆軸２２の先端に形成された嵌合孔２２ａに挿入して凹凸係合させるための挿着手段である、嵌合部２４１が形成されている。
【００１６】
台座２５１は、このブラシ柄２４の湾曲に対して、樹脂毛２５３が筆軸２２の軸方向（Ｚ方向）と直交する方向（Ｙ方向）に生えるように、植毛面２５２が、筆軸２２の軸方向（Ｚ方向）に対して所定の傾斜角度αを備えるように形成されている。
【００１７】
塗布具２０の筆軸２２，ブラシ柄２４および塗布部２５はいずれも合成樹脂により形成されている。筆軸２２は、一例としてＰＰ、ＰＢＴ、ＰＡ樹脂等により形成されている。そして、ブラシ柄２４と塗布部２５は、同一樹脂によって、一例として、ＰＥ、エラストマー樹脂等により、一体成形品として形成されている。塗布部２５の樹脂毛２５３も、ブラシ柄２４と一体で成形されたものである。
【００１８】
一例として、縦長楕円形状の塗布部２５の長さＬ２５は約８ｍｍ、塗布部２５の幅Ｈ２５は約５ｍｍである。本考案の要部である塗布部２５及びブラシ柄２４（嵌合部２４１を除く部分）の全長Ｌ２４は約２１ｍｍ、ブラシ柄２４の直径Ｄは約２．８ｍｍ、であり、従来のブリストルからなる化粧用塗布具と比して、本考案の塗布具２０の植毛域は、非常に小さいものである。塗布部２５の植毛面２５２には、塗布作業が行いやすいよう、塗布対象に適した傾斜角度αを付けても良いし、塗布対象に応じては傾斜角度αのないフラットな面としても良い。
【００１９】
上述の塗布具２０は、ブラシ柄２４の湾曲形状を備えた上で、塗布部２５の台座２５１の形状に対して、種々の設計変形を行なってもよい。以下、その例を挙げる。
【００２０】
塗布部２５の台座２５１の形状は、図７に示すように、横長の楕円形（Ｘ方向に長い楕円形）や、図８に示すように、真円形状としてもよい。一例として、図７の場合の台座の幅Ｈは約８ｍｍ、図８の場合の台座の長さＬ及び幅Ｈは約８ｍｍである。
【００２１】
または、図９に示すように、縦軸（Ｚ方向）に二の頂点が配置されるようにした六角形や、図１０に示すように、横軸（Ｘ方向）に二の頂点が配置されるようにした六角形にしてもよい。一例として、図９の場合の台座の長さＬは約８ｍｍ、図１０の場合の台座の幅Ｈは約８ｍｍである。
【００２２】
または、図１１に示すように、縦軸（Ｚ方向）に長いひょうたん型や、図１２に示すように、横軸（Ｘ方向）に長いひょうたん型にしてもよい。一例として、図１１の場合の台座の長さＬは約８ｍｍ、図１２の場合の台座の幅Ｈは約８ｍｍである。
【００２３】
または、図１３に示すように、縦軸（Ｚ方向）に長く下に広がる扇型や、図１４に示すように、図１３を倒置して、上に広がる扇型にしてもよい。或いは、図１５に示すように、横軸（Ｘ方向）に長く右に広がる扇型や、図１６に示すように、図１５を倒置して、左に広がる扇型にしてもよい。一例として、図１３、図１４の場合の台座の長さＬは約８ｍｍ、図１５、図１６の場合の台座の幅Ｈは約８ｍｍである。
【００２４】
または、図１７、図１８に示すように、図１３、図１４をサドル型にしてもよい。一例として、図１７、図１８の場合の台座の長さＬは約８ｍｍである。
【００２５】
または、図１９に示すように、縦軸（Ｚ方向）に長いひし型や、図２０に示すように、横軸（Ｘ方向）に長いひし型にしてもよい。一例として、図１９の場合の台座の長さＬは約８ｍｍ、図２０の場合の台座の幅Ｈは約８ｍｍである。
【００２６】
または、図２１に示すように、ハート型に変形して形成してもよく、図２２に示すように、図２１を倒置させた形状にしてもよい。一例として、図２１、図２２の場合の台座の幅Ｈは約８ｍｍである。
【００２７】
または、図２３に示すように、縦軸（Ｚ方向）に長いビーンズ型や、図２４に示すように、横軸（Ｘ方向）に長いビーンズ型にしてもよい。一例として、図２３の場合の台座の長さＬは約８ｍｍ、図２４の場合の台座の幅Ｈは約８ｍｍである。
【００２８】
または、図２５に示すように、星型や、図２６に示すように、縦軸（Ｚ方向）に長く、短辺に丸みを持たせた矩形にしてもよい。一例として、図２５の場合の台座の長さＬは約８ｍｍ、図２６の場合の台座の長さＬは約８ｍｍである。
以上、図７〜図２６の変形例は、あくまで一例であり、図示した曲線的に閉じられた種々の形状の一部が崩れたり、線又は点対称に組み合わされた形状に変形することも考えられる。このように、塗布部２５の形状バリエーションは多様である。
【００２９】
また、図２７〜図２９に示すような設計変更も可能である。図２７〜図２９の塗布具２０では、塗布部２５の台座２５１の背面を、ブラシ柄２４の先端部がドーム形状に覆って、塗布部２５の台座２５１とブラシ柄２４の先端部とが一体化し、塗布部２５の背面にブラシ柄２４の接続による段差が付かない形状になっている。塗布部２５の背面に段差をつけないことで、塗布部２５の背面に不要に化粧料が付着することがないため、好適である。
【００３０】
以上、本考案の塗布具２０によれば、塗布部２５は、植毛台座２５１から微細な樹脂毛２５３が一体成形によって一方向に延出形成されたブラシであるので、化粧料１２を掻き落としやすく、化粧料１２の保持量が調節しやすい。また、塗布具２０は植毛域が非常に小さく、ブラシ柄２４は、樹脂毛２５３の延出方向と反対方向に湾曲して形成されているので、細部への塗布が容易であるとともに、眉毛や睫毛周辺の皮膚に当たりにくく、塗布動作が容易である。また、この微細な樹脂毛２５３は、ブラシ柄２４と一体に成形するので、ブリストルからなる塗布具よりも製造工程が容易となる。
【００３１】
なお、実施例において、塗布具２０を眉毛・睫毛用の化粧用塗布具として記載したが、口唇に対して用いる塗布具として用いることを妨げる趣旨ではない。
【符号の説明】
【００３２】
２０・・・塗布具、  ２１・・・操作部、  ２２・・・筆軸、  ２４・・・ブラシ柄、  ２５・・・塗布部、  ２５１・・・植毛台座、  ２５２・・・植毛面、  ２５３・・・樹脂毛、  Ｌ・・・台座の長さ、  Ｈ・・・台座の幅
【図１】
0003190428.tif 000003
【図２】
0003190428.tif 000004
【図３】
0003190428.tif 000005
【図４】
0003190428.tif 000006
【図５】
0003190428.tif 000007
【図６】
0003190428.tif 000008
【図７】
0003190428.tif 000009
【図８】
0003190428.tif 000010
【図９】
0003190428.tif 000011
【図１０】
0003190428.tif 000012
【図１１】
0003190428.tif 000013
【図１２】
0003190428.tif 000014
【図１３】
0003190428.tif 000015
【図１４】
0003190428.tif 000016
【図１５】
0003190428.tif 000017
【図１６】
0003190428.tif 000018
【図１７】
0003190428.tif 000019
【図１８】
0003190428.tif 000020
【図１９】
0003190428.tif 000021
【図２０】
0003190428.tif 000022
【図２１】
0003190428.tif 000023
【図２２】
0003190428.tif 000024
【図２３】
0003190428.tif 000025
【図２４】
0003190428.tif 000026
【図２５】
0003190428.tif 000027
【図２６】
0003190428.tif 000028
【図２７】
0003190428.tif 000029
【図２８】
0003190428.tif 000030
【図２９】
0003190428.tif 000031